(57)【要約】【課題】番組の表示を中断させる虞なく端末の電源を制御することができ、その結果、番組を表示していない状態の端末での電力消費を効果的に改善すること等ができる端末電源管理方法、番組表示端末および端末電源管理プログラムを提供することを課題とする。【解決手段】ＵＰＳが広告表示端末へ電源供給を開始すると、それに連動して当該広告表示端末の電源がＯＮになる。そして、広告表示端末は、広告ＤＬスケジュールに従って番組ファイルをダウンロードしながら広告表示スケジュールに従って番組を表示する。そして、広告表示端末は、広告番組等の表示が終了したら、広告ＤＬ進捗ステータスを参照して広告表示端末終了時刻を延長又は短縮するよう適宜変更する。そして、広告表示端末は、変更後の広告表示端末終了時刻が来たら当該広告表示端末の電源をＯＦＦする。【選択図】図２
2009201011.tif 000002
【特許請求の範囲】
【請求項１】
制御部と表示部とを備えた番組表示端末において実行される端末電源管理方法であって、
前記制御部において実行される、
前記表示部に番組を表示する時間帯に関する番組表示スケジュール、当該番組表示端末と通信可能に接続された番組管理・配信サーバから前記番組をダウンロードする時間帯に関する番組ＤＬスケジュール、および当該番組表示端末の電源を入れる時刻および切る時刻に関する電源制御スケジュールを取得する取得ステップと、
前記取得ステップで取得した前記番組表示スケジュールおよび前記番組ＤＬスケジュールに基づいて、取得した前記電源制御スケジュールにおける前記電源を入れる時刻および／または前記電源を切る時刻を変更する変更ステップと
を含むこと
を特徴とする端末電源管理方法。
【請求項２】
前記取得ステップは、さらに、前記ダウンロードの進捗状況および前記ダウンロードの要請に関する番組ＤＬ進捗ステータスを取得し、
前記変更ステップは、前記取得ステップで取得した前記番組表示スケジュール、前記番組ＤＬスケジュールおよび前記番組ＤＬ進捗ステータスに基づいて、取得した前記電源制御スケジュールにおける前記電源を入れる時刻および／または前記電源を切る時刻を変更すること
を特徴とする請求項１に記載の端末電源管理方法。
【請求項３】
前記制御部において実行される、
前記変更ステップで変更した後の前記電源制御スケジュールに従って、当該番組表示端末の前記電源を切るよう制御する電源制御ステップ
をさらに含むこと
を特徴とする請求項１または２に記載の端末電源管理方法。
【請求項４】
制御部と表示部とを備えた番組表示端末であって、
前記制御部は、
前記表示部に番組を表示する時間帯に関する番組表示スケジュール、当該番組表示端末と通信可能に接続された番組管理・配信サーバから前記番組をダウンロードする時間帯に関する番組ＤＬスケジュール、および当該番組表示端末の電源を入れる時刻および切る時刻に関する電源制御スケジュールを取得する取得手段と、
前記取得手段で取得した前記番組表示スケジュールおよび前記番組ＤＬスケジュールに基づいて、取得した前記電源制御スケジュールにおける前記電源を入れる時刻および／または前記電源を切る時刻を変更する変更手段と
を備えたこと
を特徴とする番組表示端末。
【請求項５】
制御部と表示部とを備えた番組表示端末において実行させるための端末電源管理プログラムであって、
前記制御部において実行させるための、
前記表示部に番組を表示する時間帯に関する番組表示スケジュール、当該番組表示端末と通信可能に接続された番組管理・配信サーバから前記番組をダウンロードする時間帯に関する番組ＤＬスケジュール、および当該番組表示端末の電源を入れる時刻および切る時刻に関する電源制御スケジュールを取得する取得ステップと、
前記取得ステップで取得した前記番組表示スケジュールおよび前記番組ＤＬスケジュールに基づいて、取得した前記電源制御スケジュールにおける前記電源を入れる時刻および／または前記電源を切る時刻を変更する変更ステップと
を含むこと
を特徴とする端末電源管理プログラム。
【発明の詳細な説明】
【技術分野】
【０００１】
本発明は、端末電源管理方法、番組表示端末および端末電源管理プログラムに関するものである。
【背景技術】
【０００２】
端末の電源管理や電源制御に関する従来技術としては、以下の特許文献１から４が挙げられる。
【０００３】
特許文献１には、クライアント・サーバシステムにおいて、サーバからの電源状態の変更指示に応じてクライアントの電源状態を変更させ、サーバの制御によってクライアントの電源オン／オフのコントロールを行うことができる放送番組コンテンツ管理配信システム等に関する発明が開示されている。
【０００４】
特許文献２には、クライアント・サーバシステムにおいて、クライアントが設置された個室から人が不在になると、当該クライアントから表示装置への電源供給を停止させるようサーバが当該クライアントを制御する映像配信システム等に関する発明が開示されている。
【０００５】
特許文献３には、ホストコンピュータおよび端末で構成されるオンラインシステムにおいて、ホストコンピュータから端末へデータ配信を行う時間のみ当該端末の電源を入れるよう、当該ホストコンピュータが、各端末の電源状態を管理する端末情報テーブル（端末へのデータ配信の順序を示すスケジュール番号を含む）に従って端末の電源を制御する端末電源制御方法などに関する発明が開示されている。
【０００６】
特許文献４には、ホストコンピュータおよび端末装置で構成される情報ネットワークにおいて、ホストコンピュータから端末装置へ電源制御のプログラム情報を配信し、端末装置はそのプログラム情報に基づいて電源の立上げ立下げ行う端末装置電源の自動立上げ、立下げ方法などに関する発明が開示されている。
【０００７】
【特許文献１】特開２００５−２５０５２９号公報
【特許文献２】特開２００５−２１０５６１号公報
【特許文献３】特開平１０−３９９５９号公報
【特許文献４】特開平６−１９５８９号公報
【発明の開示】
【発明が解決しようとする課題】
【０００８】
しかしながら、従来技術（特に特許文献３）では配信に関するスケジュールに従って端末の電源を制御しているが、番組表示端末においてはこのような制御では番組の表示が中断される虞があるという問題があった。なお、この問題は、本発明が解決しようとする課題の一例である。
【０００９】
本発明は、上記問題に鑑みてなされたものであって、番組の表示を中断させる虞なく端末の電源を制御することができ、その結果、番組を表示していない状態の端末での電力消費を効果的に改善すること等ができる端末電源管理方法、番組表示端末および端末電源管理プログラムを提供することを目的とするものである。
【課題を解決するための手段】
【００１０】
上述した課題を解決し、目的を達成するために、本発明にかかる請求項１に記載の発明は、制御部と表示部とを備えた番組表示端末において実行される端末電源管理方法であって、前記制御部において実行される、前記表示部に番組を表示する時間帯に関する番組表示スケジュール、当該番組表示端末と通信可能に接続された番組管理・配信サーバから前記番組をダウンロードする時間帯に関する番組ＤＬスケジュール、および当該番組表示端末の電源を入れる時刻および切る時刻に関する電源制御スケジュールを取得する取得ステップと、前記取得ステップで取得した前記番組表示スケジュールおよび前記番組ＤＬスケジュールに基づいて、取得した前記電源制御スケジュールにおける前記電源を入れる時刻および／または前記電源を切る時刻を変更する変更ステップとを含むことを特徴とする。
【００１１】
また、本発明にかかる請求項４に記載の発明は、制御部と表示部とを備えた番組表示端末であって、前記制御部は、前記表示部に番組を表示する時間帯に関する番組表示スケジュール、当該番組表示端末と通信可能に接続された番組管理・配信サーバから前記番組をダウンロードする時間帯に関する番組ＤＬスケジュール、および当該番組表示端末の電源を入れる時刻および切る時刻に関する電源制御スケジュールを取得する取得手段と、前記取得手段で取得した前記番組表示スケジュールおよび前記番組ＤＬスケジュールに基づいて、取得した前記電源制御スケジュールにおける前記電源を入れる時刻および／または前記電源を切る時刻を変更する変更手段とを備えたことを特徴とする。
【００１２】
また、本発明にかかる請求項５に記載の発明は、制御部と表示部とを備えた番組表示端末において実行させるための端末電源管理プログラムであって、前記制御部において実行させるための、前記表示部に番組を表示する時間帯に関する番組表示スケジュール、当該番組表示端末と通信可能に接続された番組管理・配信サーバから前記番組をダウンロードする時間帯に関する番組ＤＬスケジュール、および当該番組表示端末の電源を入れる時刻および切る時刻に関する電源制御スケジュールを取得する取得ステップと、前記取得ステップで取得した前記番組表示スケジュールおよび前記番組ＤＬスケジュールに基づいて、取得した前記電源制御スケジュールにおける前記電源を入れる時刻および／または前記電源を切る時刻を変更する変更ステップとを含むことを特徴とする。
【発明を実施するための最良の形態】
【００１３】
以下に、本発明にかかる端末電源管理方法、番組表示端末および端末電源管理プログラムの実施形態を詳細に説明する。なお、本実施形態により本発明が限定されるものではない。
【００１４】
本実施形態では、番組表示端末が備えた制御部は、当該番組表示端末が備えた表示部に番組を表示する時間帯に関する番組表示スケジュール、当該番組表示端末と通信可能に接続された番組管理・配信サーバから番組をダウンロードする時間帯に関する番組ＤＬスケジュール、および当該番組表示端末の電源を入れる時刻および切る時刻に関する電源制御スケジュールを取得し、取得した番組表示スケジュールおよび番組ＤＬスケジュールに基づいて、取得した電源制御スケジュールにおける“電源を入れる時刻”および／または“電源を切る時刻”を変更する。これにより、番組の表示を中断させる虞なく端末の電源を制御することができ、その結果、番組を表示していない状態の端末での電力消費を効果的に改善すること等ができるという効果を奏する。
【００１５】
なお、本実施形態では、番組表示端末が備えた制御部は、ダウンロードの進捗状況およびダウンロードの要請に関する番組ＤＬ進捗ステータスをさらに取得し、取得した番組表示スケジュール、番組ＤＬスケジュールおよび番組ＤＬ進捗ステータスに基づいて、取得した電源制御スケジュールにおける“電源を入れる時刻”および／または“電源を切る時刻”を変更してもよい。これにより、番組を表示していないが大容量の番組を早急に配信したい場合でも端末の電源を長い時間入れ続けておくこと等ができるという効果を奏する。
【００１６】
また、本実施形態では、番組表示端末が備えた制御部は、変更した後の電源制御スケジュールに従って当該番組表示端末の電源を切るよう制御してもよい。これにより、番組を表示していない状態の端末での電力消費を効果的に改善すること等ができるという効果を奏する。
【実施例】
【００１７】
上述した実施形態にかかる端末電源管理方法、番組表示端末および端末電源管理プログラムの実施例について図１から図８を参照して詳細に説明する。
【００１８】
〔１．広告表示システムの構成〕
ここでは、広告表示システムの構成について図１を参照して詳細に説明する。図１は広告表示システムの構成の一例を示すブロック図である。
【００１９】
広告表示システムは複数の広告表示端末１００と複数の無停電電源装置（ＵＰＳ：Ｕｎｉｎｔｅｒｒｕｐｔｉｂｌｅ  Ｐｏｗｅｒ  Ｓｕｐｐｌｙ）２００と広告管理・配信サーバ３００とネットワーク４００とで構成されている。広告表示端末１００とＵＰＳ２００とは、ＵＳＢ（Ｕｎｉｖｅｒｓａｌ  Ｓｅｒｉａｌ  Ｂｕｓ）等で通信可能に接続され、且つ当該ＵＰＳ２００から当該広告表示端末１００への電源供給が可能なように接続されている。広告管理・配信サーバ３００と複数の広告表示端末１００とは、ネットワーク４００を介して通信可能に接続されている。
【００２０】
ＵＰＳ２００は市販のものであり、当該ＵＰＳ２００と接続されている広告表示端末１００の電源のＯＮ（入、起動、投入）／ＯＦＦ（切、シャットダウン、停止、終了）を、当該ＵＰＳ２００に設定されている電源制御スケジュール（具体的には広告表示端末１００の電源をＯＮ／ＯＦＦする時刻に関するスケジュール）に従って制御する。ＵＰＳ２００は商用電源（図示せず）に接続されている。
【００２１】
広告管理・配信サーバ３００は、広告番組や案内番組など（以下、広告番組等と記す場合がある。）に関する番組ファイルを管理している。広告管理・配信サーバ３００は、それぞれの広告表示端末１００からネットワーク４００経由で番組ファイルの取得要求を受けてから当該要求元の広告表示端末１００へ番組ファイルを配信（プル型配信）する。なお、広告管理・配信サーバ３００は、番組ファイルをネットワーク４００経由で複数の広告表示端末１００へ配信（プッシュ型配信、ブロードキャスト配信、マルチキャスト配信）してもよい。
【００２２】
ネットワーク４００はインターネットやＬＡＮ（Ｌｏｃａｌ  Ａｒｅａ  Ｎｅｔｗｏｒｋ）などである。
【００２３】
広告表示端末１００は制御部１０２と記憶部１０４と表示部１０６とを備えている。具体的には、広告表示端末１００は、制御部１０２および記憶部１０４に相当する市販のパーソナルコンピュータ本体と、表示部１０６に相当するプラズマディスプレイ（ＰＤＰ：Ｐｌａｓｍａ  Ｄｉｓｐｌａｙ  Ｐａｎｅｌ）とで構成されている。広告表示端末１００は、例えば病院や自動車教習所などの待合室などにＵＰＳ２００と共に設置される。
【００２４】
表示部１０６は広告番組等を表示するための媒体であり、具体的にはＰＤＰである。なお、以下では表示部１０６をＰＤＰ１０６と記す場合がある。
【００２５】
記憶部１０４は各種のデータベースやテーブルやファイルなどを格納する。記憶部１０４は、ストレージ手段であり、例えばＲＡＭ・ＲＯＭ等のメモリ装置や、ハードディスクのような固定ディスク装置、フレキシブルディスク、光ディスク等を用いることができる。記憶部１０４は図示の如く、広告表示スケジュールファイル１０４ａと広告ＤＬスケジュールファイル１０４ｂと広告ＤＬ進捗ステータスファイル１０４ｃと電源制御スケジュールファイル１０４ｄとを格納する。
【００２６】
広告表示スケジュールファイル１０４ａは、表示部１０６に広告番組等を表示する時間帯などに関する広告表示スケジュールを格納する。具体的には、広告表示スケジュールファイル１０４ａは、図３、図５および図７に示すように、或る日付における広告番組等の表示開始時刻および表示終了時刻や、当該或る日付における広告表示端末１００の電源起動時刻（広告表示端末起動時刻）および電源終了（シャットダウン）時刻（広告表示端末終了時刻）などで構成されている。
【００２７】
図１に戻り、広告ＤＬスケジュールファイル１０４ｂは、番組ファイルを広告管理・配信サーバ３００から配信（ダウンロード）する時間帯などに関する広告ＤＬスケジュールを格納する。具体的には、広告ＤＬスケジュールファイル１０４ｂは、図３、図５および図７に示すように、或る日付における番組ファイルの配信開始時刻で構成されている。
【００２８】
図１に戻り、広告ＤＬ進捗ステータスファイル１０４ｃは、番組ファイルのダウンロードの進捗状況や当該ダウンロードの要請などに関する広告ＤＬ進捗ステータスを格納する。具体的には、広告ＤＬ進捗ステータスファイル１０４ｃは、図４、図６および図８に示すように、番組ファイルのファイル名（正式なもの）と、その番組ファイルのダウンロード元のＵＲＬと、その番組ファイルのダウンロードが完了するまでの間一時的に設定される一時ファイル名と、その番組ファイルのダウンロード開始時刻（年／月／日／時／分）と、その番組ファイルを早急にダウンロードしたいか否かを示す早急ＤＬフラグ（“ＯＮ”：早急にダウンロードしたい、“ＯＦＦ”：通常）と、その番組ファイルのダウンロードのステータス（“未ダウンロード”：ダウンロードが開始されていない、“ダウンロード中”：ダウンロードの最中、“ダウンロード完了”：ダウンロードが完了した）とで構成されている。ここで、ダウンロードが完了していない番組ファイルは、当該番組ファイルのダウンロードが完了するまで、一時ファイル名で広告表示端末１００の記憶部１０４に保存される。そして、当該番組ファイルのダウンロードが完了したら、その一時ファイル名は正式なものに変更される。
【００２９】
図１に戻り、電源制御スケジュールファイル１０４ｄは、広告表示端末１００の電源をＯＮ／ＯＦＦする時刻などに関する電源制御スケジュールを格納する。具体的には、電源制御スケジュールファイル１０４ｄは、或る日付における広告表示端末１００の電源起動時刻（広告表示端末起動時刻）および電源終了時刻（広告表示端末終了時刻）で構成されている。
【００３０】
図１に戻り、制御部１０２は、広告表示端末１００を統括的に制御するＣＰＵ（Ｃｅｎｔｒａｌ  Ｐｒｏｃｅｓｓｉｎｇ  Ｕｎｉｔ）等からなる。制御部１０２は、ＯＳ（Ｏｐｅｒａｔｉｎｇ  Ｓｙｓｔｅｍ）等の制御プログラムと各種の処理手順等を規定したプログラムと所要データとを格納するための内部メモリを有し、これらプログラムに基づいて種々の処理を実行するための情報処理を行う。制御部１０２は図示の如く大別して、再生プレーヤ１０２ａとスケジューラ１０２ｂと通信部１０２ｃと広告表示プログラム１０２ｄと電源制御部１０２ｅとを備えている。
【００３１】
再生プレーヤ１０２ａは、広告管理・配信サーバ３００からダウンロードした番組ファイルを再生する。スケジューラ１０２ｂは記憶部１０４に格納されている各種ファイルを変更する（書き換える）。
【００３２】
通信部１０２ｃは、ＵＰＳ２００と広告表示端末１００との間の通信、および広告管理・配信サーバ３００と広告表示端末１００との間の通信を行う。通信部１０２ｃは、広告表示スケジュールや広告ＤＬスケジュールを、ネットワーク４００経由で広告管理・配信サーバ３００から取得する。通信部１０２ｃは、広告ＤＬスケジュールに従って番組ファイルの配信要求をネットワーク４００経由で広告管理・配信サーバ３００に行ない、番組ファイルをネットワーク４００経由で広告管理・配信サーバ３００からダウンロードする。通信部１０２ｃは、電源制御スケジュールをＵＳＢ経由でＵＰＳ２００から又はネットワーク４００経由で広告管理・配信サーバ３００から取得したり、電源制御スケジュールをＵＳＢ経由でＵＰＳ２００へ又はネットワーク４００経由で広告管理・配信サーバ３００へ伝送したりする。
【００３３】
広告表示プログラム１０２ｄは、広告管理・配信サーバ３００からダウンロードした番組ファイルを広告表示スケジュールに従って再生プレーヤ１０２ａに再生させることで広告番組等を表示部１０６に表示するためのプログラムであって、制御部１０２に実行させるためのものである。
【００３４】
電源制御部１０２ｅは、電源制御スケジュールに従って、広告表示端末１００の電源のＯＮ／ＯＦＦを制御する。
【００３５】
〔２．広告表示システムの動作〕
ここでは、上述した構成の広告表示システムで行われる動作について図２から図８を参照して詳細に説明する。図２は広告表示システムで行われる動作の一例を示すフローチャートである。
【００３６】
まず、ＵＰＳ２００から広告表示端末１００への電源供給が当該ＵＰＳ２００の電源制御スケジュールに従って開始されると、当該広告表示端末１００の電源がＯＮになる（ステップＳＡ−１）。
【００３７】
つぎに、制御部１０２は、広告表示プログラム１０２ｄを起動する（ステップＳＡ−２）。
【００３８】
つぎに、制御部１０２は、通信部１０２ｃで、本日の広告表示スケジュール、本日の広告ＤＬスケジュールおよび本日の広告ＤＬ進捗ステータスを広告管理・配信サーバ３００から取得する（ステップＳＡ−３）。
【００３９】
つぎに、制御部１０２は、ステップＳＡ−３で取得した広告ＤＬスケジュールに記述されている配信開始時刻になると、通信部１０２ｃで番組ファイルを広告管理・配信サーバ３００から配信（ダウンロード）し始める（ステップＳＡ−４）。なお、番組ファイルの配信開始後、制御部１０２は、スケジューラ１０２ｂで、広告ＤＬ進捗ステータスに記述されているステータスをダウンロードの進捗状況に応じて番組ファイル毎に“ダウンロード中”又は“ダウンロード完了”に随時書き換える。
【００４０】
つぎに、制御部１０２は、ステップＳＡ−３で取得した広告表示スケジュールに記述されている表示開始時刻になると、再生プレーヤ１０２ａで、既にダウンロード済みの番組ファイル（具体的には前日の広告ＤＬスケジュールや本日の広告ＤＬスケジュールに従って既にダウンロードが完了した番組ファイル）を再生し始めることにより、広告番組等のＰＤＰ１０６への表示を開始する（ステップＳＡ−５）。
【００４１】
つぎに、制御部１０２は、ステップＳＡ−３で取得した広告表示スケジュールに記述されている表示終了時刻になると、再生プレーヤ１０２ａでの番組ファイルの再生を終了することにより、広告番組等のＰＤＰ１０６への表示を終了する（ステップＳＡ−６）。
【００４２】
つぎに、制御部１０２は、配信が完了していない番組ファイルがあるか否かを現時点の広告ＤＬ進捗ステータスに記述されているステータスで確認し（具体的には現時点の広告ＤＬ進捗ステータスに記述されているステータスが“未ダウンロード”や“ダウンロード中”の番組ファイルがあるか否かを確認し）、配信が完了していない番組ファイルがあると確認した場合（ステップＳＡ−７：Ｙｅｓ）にはさらに、その中に早急に配信したい番組ファイルがあるか否かを当該広告ＤＬ進捗ステータスに記述されている早急ＤＬフラグで確認し（具体的にはその中に当該広告ＤＬ進捗ステータスに記述されている早急ＤＬフラグが“ＯＮ”の番組ファイルがあるか否かを確認し）、その中に早急に配信したい番組ファイルがないと確認した場合（ステップＳＡ−８：Ｎｏ）には、配信が完了していない番組ファイルを通信部１０２ｃでダウンロードし始める又はダウンロードし続ける（ステップＳＡ−１０）。
【００４３】
例えば、図３に示す広告表示スケジュールおよび広告ＤＬスケジュールおよび図４に示す広告ＤＬ進捗ステータスの場合、当該広告ＤＬ進捗ステータスに記述されているステータスが全て“未ダウンロード”であり且つ早急ＤＬフラグも全て“ＯＦＦ”であるので、制御部１０２は、当該“未ダウンロード”の番組ファイルを通信部１０２ｃでダウンロードし始める。
【００４４】
図２に戻り、一方、制御部１０２は、その中に早急に配信したい番組ファイルがあると確認した場合（ステップＳＡ−８：Ｙｅｓ）には、現時点の広告表示スケジュールに記述されている広告表示端末終了時刻を所定時間（例えば最大限）延長するようスケジューラ１０２ｂで変更する（ステップＳＡ−９）。そして、制御部１０２は、配信が完了していない番組ファイル（特に配信が完了しておらず且つ早急に配信したい番組ファイル）を通信部１０２ｃでダウンロードし始める又はダウンロードし続ける（ステップＳＡ−１０）。なお、制御部１０２は、変更後の広告表示スケジュールをＵＰＳ２００や広告管理・配信サーバ３００へ通信部１０２ｃで伝送する（以下同様）。これにより、ＵＰＳ２００および広告管理・配信サーバ３００にも、広告表示端末１００で保持している最新の電源制御スケジュールを保持させる。
【００４５】
例えば、図５に示す広告表示スケジュールおよび広告ＤＬスケジュールおよび図６に示す広告ＤＬ進捗ステータスの場合、広告表示終了時刻である１８時時点での広告ＤＬ進捗ステータス（具体的には図６の３．に示した広告ＤＬ進捗ステータス）に、ステータスが“ダウンロード中”であり且つ早急ＤＬフラグが“ＯＮ”である番組ファイル（具体的には図６の３．に示した広告ＤＬ進捗ステータスにおけるファイル名“ｔｅｓｔ２．ｊｐｇ”の番組ファイル）があるので、制御部１０２は、広告表示スケジュールに記述されている広告表示端末終了時刻を当初の１９時から例えば２３時にスケジューラ１０２ｂで変更する。そして、制御部１０２は、当該広告ＤＬ進捗ステータスに記述されているステータスが“ダウンロード中”であり且つ早急ＤＬフラグが“ＯＮ”である番組ファイルを通信部１０２ｃでダウンロードし続ける。
【００４６】
図２に戻り、制御部１０２は、現時点の広告表示スケジュールに記述されている広告表示端末終了時刻が来る前に（ステップＳＡ−１１：Ｎｏ）、全ての番組ファイルをダウンロードし終えた場合（ステップＳＡ−１２：Ｙｅｓ）には、当該広告表示スケジュールに記述されている広告表示端末終了時刻を所定時間短縮するようスケジューラ１０２ｂで変更する（ステップＳＡ−１３）。そして、制御部１０２は、変更後の広告表示端末終了時刻が来ると、広告プログラム１０２ｄを終了し（ステップＳＡ−１４）、広告表示端末１００の電源をＯＦＦ（シャットダウン）する（ステップＳＡ−１５）。なお、制御部１０２は、ＵＰＳ２００からの電源供給が一定時間以上途絶えたときに、広告表示端末１００の電源をＯＦＦしてもよい（以下同様）。また、落雷などで瞬間的に停電になる場合、つまりＵＰＳ２００からの電源供給がすぐにＯＦＦからＯＮに戻るような場合には、制御部１０２は、広告表示端末１００の電源をＯＦＦしなくてもよい（以下同様）。
【００４７】
例えば、図５に示す広告表示スケジュールおよび広告ＤＬスケジュールおよび図６に示す広告ＤＬ進捗ステータスの場合、当該広告表示スケジュールに記述されている広告表示端末終了時刻は２３時に変更されているが、番組ファイルのダウンロードが２１時５０分時点で全て完了した（図６の４−１．に示した広告ＤＬ進捗ステータス参照）ので、制御部１０２は、当該広告表示スケジュールに記述されている広告表示端末終了時刻を２３時から例えば２２時にスケジューラ１０２ｂで変更する。そして、制御部１０２は、変更後の広告表示端末終了時刻である２２時が来ると、広告プログラム１０２ｄを終了し、広告表示端末１００の電源をＯＦＦ（シャットダウン）する。
【００４８】
図２に戻り、一方、制御部１０２は、現時点の広告表示スケジュールに記述されている広告表示端末終了時刻が来ると（ステップＳＡ−１１：Ｙｅｓ）、番組ファイルのダウンロードが完了したか否かに関わらず強制的に、広告プログラム１０２ｄを終了し（ステップＳＡ−１４）、広告表示端末１００の電源をＯＦＦ（シャットダウン）する（ステップＳＡ−１５）。なお、制御部１０２は、当該広告表示端末終了時刻に配信が完了していない番組ファイルについては、ダウンロード出来ていない残りの部分を翌日ダウンロードする。
【００４９】
例えば、図５に示す広告表示スケジュールおよび広告ＤＬスケジュールおよび図６に示す広告ＤＬ進捗ステータスの場合、当該広告表示スケジュールに記述されている広告表示端末終了時刻は２３時に変更されているが、番組ファイルのダウンロードが２３時時点で完了していない（図６の４−２．に示した広告ＤＬ進捗ステータス参照）ので、制御部１０２は、その時点で広告プログラム１０２ｄを終了し、広告表示端末１００の電源をＯＦＦ（シャットダウン）する。なお、制御部１０２は、２３時時点で配信が完了していない番組ファイル“ｔｅｓｔ２．ｊｐｇ”（図６の４−２．に示した広告ＤＬ進捗ステータス参照）については、ダウンロード出来ていない残りの部分を翌日ダウンロードする。
【００５０】
図２に戻り、一方、制御部１０２は、配信が完了していない番組ファイルがない（全ての番組ファイルの配信が完了した）と確認した場合（ステップＳＡ−７：Ｎｏ）には、現時点の広告表示スケジュールに記述されている広告表示端末終了時刻を所定時間短縮するようスケジューラ１０２ｂで変更する（ステップＳＡ−１３）。そして、制御部１０２は、変更後の広告表示端末終了時刻が来ると、広告プログラム１０２ｄを終了し（ステップＳＡ−１４）、広告表示端末１００の電源をＯＦＦ（シャットダウン）する（ステップＳＡ−１５）。
【００５１】
例えば、図７に示す広告表示スケジュールおよび広告ＤＬスケジュールおよび図８に示す広告ＤＬ進捗ステータスの場合、当該広告表示スケジュールに記述されている広告表示終了時刻である１８時時点で番組ファイルのダウンロードが全て完了していた（図８の３．に示した広告ＤＬ進捗ステータス参照）ので、制御部１０２は、当該広告表示スケジュールに記述されている広告表示端末終了時刻を当初の１９時から例えば１８時１０分にスケジューラ１０２ｂで変更する。そして、制御部１０２は、変更後の広告表示端末終了時刻である１８時１０分が来ると、広告プログラム１０２ｄを終了し、広告表示端末１００の電源をＯＦＦ（シャットダウン）する。
【００５２】
〔３．広告表示システムのまとめ〕
以上、詳細に説明したように、本実施例の広告表示システムによれば、まず、ＵＰＳ２００が電源制御スケジュールに従って広告表示端末１００に電源を供給し始めると、それに連動して当該広告表示端末１００の電源がＯＮになる。そして、広告表示端末１００は広告表示プログラム１０２ｄを起動し、広告表示スケジュール、広告ＤＬスケジュールおよび広告ＤＬ進捗ステータスを取得する。そして、広告表示端末１００は、取得した広告ＤＬスケジュールに従って広告管理・配信サーバ３００から番組ファイルをダウンロードし始め、当該ダウンロードの進み具合に応じて広告ＤＬ進捗ステータスを随時更新する。そして、広告表示端末１００は、その一方で、取得した広告表示スケジュールに従って、ダウンロード済みの番組ファイルを再生しＰＤＰ１０６で広告番組等を表示し始める。そして、広告表示端末１００は、広告番組等の表示が終了すると、ダウンロードが完了していない番組ファイルを現時点の広告ＤＬ進捗ステータスで確認する。そして、広告表示端末１００は、特に早急にダウンロードしたい番組ファイルがある場合には広告表示スケジュールに記述されている広告表示端末終了時刻を延長し、当該番組ファイルをダウンロードする。そして、広告表示端末１００は、延長した広告表示端末終了時刻より前に当該番組ファイルのダウンロードが完了した場合には、当該ダウンロードが完了した時刻に応じて当該広告表示端末終了時刻を短縮する。そして、広告表示端末１００は、広告表示端末終了時刻が来ると、広告表示プログラム１０２ｄを終了し、当該広告表示端末１００の電源をＯＦＦする。
【００５３】
これにより、広告表示スケジュールと広告配信スケジュールの両方を考慮することで、広告番組等の表示を中断させる虞なく、つまり広告番組等の再生・表示を遵守しつつ、端末の電源を制御することができる。具体的には、広告番組等を表示しておらず広告表示端末としての役割を果たしていない場合や番組ファイルの配信が必要ない場合に、広告表示端末１００の電源をＯＦＦすることができる。その結果、番組を表示していない状態の端末での電力消費を効果的に改善することができる。具体的には、広告表示端末１００およびその周辺機器（具体的にはＰＤＰ１０６やＵＰＳ２００など）の電力消費の節約や信頼性の向上を実現することができる。
【００５４】
また、電源制御スケジュールを動的に変更することにより各広告表示端末１００で最適な電源制御スケジュールを保持することができる。その結果、番組を表示していないが大容量の番組を早急に配信したい場合でも端末の電源を長い時間入れ続けておくことができる。
【００５５】
ここで、これまで、広告表示端末の電源管理は、ＵＰＳが当該ＵＰＳのスケジュール管理機能を利用して毎日決まった時刻に広告表示端末の電源をＯＮ／ＯＦＦすることが一般的であった。しかし、このような電源管理では、広告を流していないような場合、つまり広告表示端末としての役割を果たしていない場合でも広告表示端末の電源が入りっぱなしになることがある。そのため、広告表示端末で無駄に電力を消費し、広告表示端末およびその周辺機器の故障率上昇をもたらすことが懸念されていた。
【００５６】
一方、広告を流していなくても広告表示端末がサーバからデータをダウンロードしていることがあるが、特に、大容量のデータを早急にダウンロードしたいときには、ＵＰＳで決められたスケジュールより長い時間広告表示端末の電源を入れておきたいことがある。
【００５７】
そこで、本実施例の広告表示システムでは、電源制御スケジュールを動的に変更させることにより、広告表示端末としての役割を果たしていない場合や大容量のデータを早急にダウンロードしたい場合でも当該広告表示端末の電源を適切にＯＮ／ＯＦＦすることができる。
【００５８】
さらに、番組ファイルの配信時間を削減し、番組ファイルの配信の中断を防止することができる。また、ネットワークトラフィックを改善したり広告管理・配信サーバ３００への負荷を減らしたりすることができ、その効果は広告表示端末１００が数百〜数千程度と多くなるにつれてより顕著になる。
【００５９】
最後に、本実施例の広告表示システムでは、ＵＰＳ２００を使用しなくても、例えば、ＷａｋｅＯｎＬＡＮ等の技術を使用して広告管理・配信サーバ３００がネットワーク４００経由で広告表示端末１００の電源をＯＮしたり、例えばシャットダウンコマンド等の技術を使用して広告管理・配信サーバ３００がネットワーク４００経由で広告表示端末１００の電源をＯＦＦしたりしてもよい。これにより、ＵＰＳ２００の購入および設置にかかる費用を抑えることができる。
【図面の簡単な説明】
【００６０】
【図１】広告表示システムの構成の一例を示すブロック図である。
【図２】広告表示システムで行われる動作の一例を示すフローチャートである。
【図３】広告表示スケジュールおよび広告配信スケジュールの一例を示す図である。
【図４】広告ＤＬ進捗ステータスの一例を示す図である。
【図５】広告表示スケジュールおよび広告配信スケジュールの一例を示す図である。
【図６】広告ＤＬ進捗ステータスの一例を示す図である。
【図７】広告表示スケジュールおよび広告配信スケジュールの一例を示す図である。
【図８】広告ＤＬ進捗ステータスの一例を示す図である。
【符号の説明】
【００６１】
１００  広告表示端末
１０２  制御部
１０２ａ  再生プレーヤ
１０２ｂ  スケジューラ
１０２ｃ  通信部
１０２ｄ  広告表示プログラム
１０２ｅ  電源制御部
１０４  記憶部
１０４ａ  広告表示スケジュールファイル
１０４ｂ  広告ＤＬスケジュールファイル
１０４ｃ  広告ＤＬ進捗ステータスファイル
１０４ｄ  電源制御スケジュールファイル
１０６  表示部（ＰＤＰ）
２００  無停電電源装置（ＵＰＳ）
３００  広告管理・配信サーバ
４００  ネットワーク
【図１】
2009201011.tif 000003
【図２】
2009201011.tif 000004
【図３】
2009201011.tif 000005
【図４】
2009201011.tif 000006
【図５】
2009201011.tif 000007
【図６】
2009201011.tif 000008
【図７】
2009201011.tif 000009
【図８】
2009201011.tif 000010